(57)【要約】    【課題】  使い勝手が良くて、しかも吸引時、吸引口が不用意に閉じる方向に変形するようなことのない電気掃除機用吸引ノズルを提供する。    【解決手段】  電気掃除機の吸引ホースの先端部に着脱可能な接続筒部と、この接続筒部から延びる偏平状筒部とから構成され、偏平状筒部の先端に吸引孔が開設されている電気掃除機用吸引ノズルにおいて、偏平状筒部の先端部には、偏平状筒部よりも幅方向に広がる拡幅偏平筒部が設けられて、この拡幅偏平筒部の先端には、幅広の吸引口が設けられると共に、拡幅偏平筒部における上下の壁には、吸引口内に突出して、上下の壁間に架設される突っ張り部が設けられ、この突っ張り部の横断面形状を、吸引口の吸引方向を長軸とし、吸引口の吸引方向とほぼ直交する方向を短軸とする楕円形とした。  【選択図】  図５
2006068048.tif 000002
【特許請求の範囲】
【請求項１】
電気掃除機の吸引ホースの先端部に着脱可能な接続筒部と、この接続筒部から延びる偏平状筒部とから構成され、偏平状筒部の先端に吸引孔が開設されている電気掃除機用吸引ノズルにおいて、
偏平状筒部の先端部には、偏平状筒部よりも幅方向に広がる拡幅偏平筒部が設けられて、この拡幅偏平筒部の先端には、幅広の吸引口が設けられると共に、拡幅偏平筒部における上下の壁の少なくともいずれか一方には、吸引口内に突出して、上下の壁間に架設される突っ張り部が設けられていることを特徴とする電気掃除機用吸引ノズル。
【請求項２】
突っ張り部の横断面形状が、吸引口の吸引方向を長軸とし、吸引口の吸引方向とほぼ直交する方向を短軸とする楕円形であることを特徴とする請求項１に記載の電気掃除機用吸引ノズル。
【発明の詳細な説明】
【技術分野】
【０００１】
本発明は、電気掃除機用吸引ノズル、詳しくは、通常の吸引ノズルでは、清掃の難しい隙間の塵埃を吸引除去するための電気掃除機用吸引ノズルに関する。
【背景技術】
【０００２】
一般にこの種の電気掃除機用吸引ノズルは、掃除機本体から延びる吸引ホースの先端部に取り付けて使用するものであるが、掃除機に標準装備されている吸引ノズルでは、例えば冷蔵庫と床面との間の隙間に溜まる塵埃を除去するのが困難であった。
【０００３】
そこで以上の不具合を解消するために、偏平状としたノズル本体から構成される吸引ノズルが提案されており、この吸引ノズルは、掃除機の吸引ホースの先端部に着脱可能に接続することができる円筒状の接続筒部と、この接続筒部から一体に延びる長尺の偏平状筒部とから構成され、偏平状筒部の先端には、細長い吸引口が開口している。（特許文献１参照）
ところで、以上の構造からなる電気掃除機用吸引ノズルでは、偏平状筒部を例えば冷蔵庫と床面との間の隙間に挿入して、塵埃を吸引するのであるが、偏平状筒部の先端に吸引孔が開口しているだけであるので、広い範囲での吸引作用を行なうことが困難である。
【０００４】
そこで本願発明者は、吸引性能を高めるために、偏平状筒部の先端部を幅方向に扇状に広げて、吸引口を従来よりも左右に広がった幅広の吸引口を供えた電気掃除機用吸引ノズルを開発しようとしたのである。
【０００５】
しかしながら、以上のごとく、偏平状筒部の先端部及び吸引口を左右に大きく広げると、開口部の剛性が低下して、吸引時、掃除機の吸引力により、左右に広げられた吸引口の上下の壁、換言すれば、偏平状筒部の先端部の上下の壁が互いに近接する方向に撓んで、吸引口が閉じてしまって、吸引が行なえなくなったり、場合によっては、吸引口が破損するなどの不具合も考えられる。
【０００６】
以上の不具合に対しては偏平状筒部の肉厚を厚くして、吸引口部分の剛性を高める方法も考えられるが、偏平状筒部の肉厚を厚くすると、吸引ノズルが重くなり、使い勝手が悪くなる。
【特許文献１】実開平５−９４５０号
【発明の開示】
【発明が解決しようとする課題】
【０００７】
本発明は以上の実情に鑑みて開発したものであって、目的とするところは、使い勝手が良くて、しかも吸引時、吸引口が不用意に閉じる方向に変形するようなことのない電気掃除機用吸引ノズルを提供することにある。
【課題を解決するための手段】
【０００８】
以上の目的を達成するため、請求項１に記載の発明は、電気掃除機の吸引ホースの先端部に着脱可能な接続筒部と、この接続筒部から延びる偏平状筒部とから構成され、偏平状筒部の先端に吸引孔が開設されている電気掃除機用吸引ノズルにおいて、
偏平状筒部の先端部には、偏平状筒部よりも幅方向に広がる拡幅偏平筒部が設けられて、この拡幅偏平筒部の先端には、幅広の吸引口が設けられると共に、拡幅偏平筒部における上下の壁の少なくともいずれか一方には、吸引口内に突出して、上下の壁間に架設される突っ張り部が設けられていることを特徴とするものである。
【０００９】
請求項２に記載の発明は、請求項１に記載の突っ張り部の横断面形状が、吸引口の吸引方向を長軸とし、吸引口の吸引方向とほぼ直交する方向を短軸とする楕円形であることを特徴とするものである。
【発明の効果】
【００１０】
請求項１に記載の発明によれば、偏平状筒部の先端部に、偏平状筒部よりも幅方向に広がる拡幅偏平筒部が設けられて、この拡幅偏平筒部の先端に、幅広の吸引口が設けられると共に、拡幅偏平筒部における上下の壁の少なくともいずれか一方には、吸引口内に突出して、上下の壁間に架設される突っ張り部が設けられたことにより、例えば狭い隙間内において広い範囲の吸引が行なえるので、吸引ノズルを隙間内で何度も動かさなくとも効率よくしかも迅速に隙間内の清掃を行なうことが出来、それでいながら、この吸引口に設けられた突っ張り部により、吸引口が設けられている上下の壁が互いに近接する方向に撓むのを阻止するので、従来のように、吸引口が不用意に閉じてしまったり、あるいは吸引口が不用意に破損するなどの不具合を招くのを抑制することが出来る。
【００１１】
請求項２に記載の発明によれば、突っ張り部の横断面形状を、吸引口の吸引方向を長軸とし、吸引口の吸引方向とほぼ直交する方向を短軸とする楕円形としているので、請求項１に記載の発明の効果に加え、突っ張り部が吸引の抵抗となり難く、従って、吸引口の中央に突っ張り部が配設されているにもかかわらず、吸引性能の低下を生じさせることが少ない。
【発明を実施するための最良の形態】
【００１２】
先ず図において符号１で示す電気掃除機は、掃除機本体１１と、この掃除機本体１１の吸込み口１２に接続される吸込みホース１３とが備えられている。
【００１３】
吸込みホース１３は、図１に示すように、その長さ方向一端部に、掃除機本体１１の吸込み口１２に着脱可能に取付けられる掃除機側連結筒部１４が設けられ、また長さ方向他端部には、本発明にかかる吸引ノズル２を接続するためのノズル側連結筒部１５が設けられている。
【００１４】
次に吸引ホース１３のノズル側連結筒部１５に接続される吸引ノズル２を説明する。
【００１５】
この吸引ノズル２は、図２にも示すように、基本的には、第１吸引ノズル２ａと、この第1吸引ノズル２ａの先端に着脱可能に接続される第2吸引ノズル２ｂとから構成されている。
【００１６】
第１ノズル２ａは、図２に示すように、吸引ホース２のノズル側連結筒部１５内に着脱可能に差し込まれる円筒状接続筒部２１と、この円筒状接続筒部２１の先端部に一体成形された蛇腹状の角度変更筒部２２と、この可動角度変更筒部２２の長さ方向一端から延びる第１偏平状筒部２３とが備えられている。
【００１７】
また第２ノズル２ｂは、図２に示すように、第１ノズル２ａにおける第１偏平状筒部２３の先端部に着脱可能に挿し込まれる偏平状接続筒部２４と、この偏平状接続筒部２４から延びる第２偏平状筒部２５とが備えられている。
【００１８】
以上の第１吸引ノズル２ａ及び第2吸引ノズル２ｂは、ポリエチレンからブロー成型により形成している。
【００１９】
そして、図に示す実施形態では、この第２ノズル２ｂを構成する第２偏平状筒部２５の先端には、図３にも示すように、この第２偏平状筒部２５よりも幅方向に略扇状に広がる拡幅偏平筒部３が一体形成されて、この拡幅偏平筒部３の先端に幅広の吸引口３０が設けられている。
【００２０】
また拡幅偏平筒部３における上壁３１及び下壁３２の幅方向中央には、図４及び図５にも示すように、吸引口３０内の中央部に突出する突起３３・３４が一体形成されると共に、これら両突起３３・３４の先端が図５に示すように付き合わされた状態で接着され、これら両突起３３・３４により、上壁３１と下壁３２との間に突っ張り部３５が架設されている。
【００２１】
この突っ張り部３５は、その横断面形状が、吸引口３０の吸引方向（図３において矢印Ｘ方向）を長軸とし、吸引口３０の吸引方向とほぼ直交する方向（図３において矢印Ｙ方向）を短軸とする楕円形に形成されている。
【００２２】
以上の吸引ノズル２を用いて、例えば冷蔵庫４と床面５との間の隙間Ｓに溜まる塵埃を電気掃除機１により除去するには、先ず吸込みホース１３のノズル側連結筒部１５に第１吸引ノズル２の接続筒部２１を嵌め込んだ後、この第１吸引ノズル２ａにおける第１偏平状筒部２３の先端部を、第2吸引ノズル２ｂの偏平状接続筒部２４に嵌め込むことで、吸込みホース１３に吸引ノズル２を取り付けるのである。
【００２３】
そして、電気掃除機１を駆動すると共に、第２吸引ノズル２ｂの先端側を、冷蔵庫４と床面５との間の隙間Ｓに挿入するのであって、以上の吸引ノズル２では、第2吸引ノズル２ｂの先端部に、この第２偏平状筒部２５よりも幅方向に広がる拡幅偏平筒部３が一体形成されて、この拡幅偏平筒部３の先端に幅広の吸引口３０が設けられていることから、前記隙間Ｓ内において広い範囲の吸引が行なえるので、吸引ノズル２を隙間Ｓ内で前後乃至左右に動かす回数が減り、全体として効率よくしかも迅速に隙間Ｓ内の清掃が行なえるのである。
【００２４】
ところで以上の吸引ノズル２では、前記したように、第２偏平状筒部２５の先端部を幅方向に扇状に広げて、従来よりも左右に広がった幅広の吸引口３０を設けることで、吸引性能を高めるようにしているにもかかわらず、この吸引口３０に設けられた突っ張り部３５により、吸引口３０が設けられている拡幅偏平部３を構成する上下の壁３１・３２が互いに近接する方向に撓むのを阻止するので、第２吸引ノズル２ｂの肉厚を殊更厚くしなくとも、吸引口３０が不用意に閉じてしまったり、あるいは吸引口３０が不用意に破損するなどの不具合を招くことがない。
【００２５】
しかも以上の突っ張り部３５は、その横断面形状が、吸引口３０の吸引方向を長軸とし、吸引口３０の吸引方向とほぼ直交する方向を短軸とする楕円形としているので、突っ張り部３５が吸引の抵抗となり難く、従って、吸引口３０の中央に突っ張り部３５が配設されているにもかかわらず、吸引性能の低下を生じさせることが少ないのである。
【図面の簡単な説明】
【００２６】
【図１】本発明にかかる吸引ノズルを用いた電気掃除機の概略斜視図。
【図２】本発明にかかる吸引ノズルの斜視図。
【図３】同要部の拡大平面図。
【図４】同要部の拡大正面図。
【図５】図３におけるＷ−Ｗ線断面図。
【図６】本発明にかかる吸引ノズルの使用状態を示す斜視図。
【符号の説明】
【００２７】
１        電気掃除機
１１      掃除機本体
１３      吸込みホース
２        吸引ノズル
２ａ      第１吸引ノズル
２ｂ      第２吸引ノズル
２１      接続筒部
２３      第１偏平状筒部
２５      第２偏平状筒部
３        拡幅偏平部
３０      吸引口
３１      上壁
３２      下壁
３５      突っ張り部
【図１】
2006068048.tif 000003
【図２】
2006068048.tif 000004
【図３】
2006068048.tif 000005
【図４】
2006068048.tif 000006
【図５】
2006068048.tif 000007
【図６】
2006068048.tif 000008